(57)【要約】    【課題】  ねじ式コネクタにおいて、可動や振動によるねじの緩みを防止するとともに、シールド性および防水性の低下を防止することを課題とする。    【解決手段】  第１のインサート部材４の、第２のコネクタ３に収容される側の端部に、鍔部１０を設け且つ該鍔部１０に凸部１１を設け、第１の固定部材１５の、第２の固定部材１６と嵌合する側の端部に、第１のインサート部材４の凸部１１と嵌合する複数の凹部１２を設けたことを特徴とする。    【選択図】  図４
2008146884.tif 000002
【特許請求の範囲】
【請求項１】
第１のコネクタと、第１のコネクタと係合する第２のコネクタと、第１のコネクタに収容され、複数のピンを保持する第１のインサート部材と、第２のコネクタに収容され、前記第１のインサート部材のピンを嵌合する嵌合穴を有する第２のインサート部材と、第１のコネクタに収容された第１のインサート部材を外嵌する第１の固定部材と、第２のコネクタに収容された第２のインサート部材を外嵌する第２の固定部材とを有してなるコネクタであって、前記第１のインサート部材の、第２のコネクタに収容される側の端部に、鍔部を設け且つ該鍔部に凸部を設け、第１の固定部材の、第２の固定部材と嵌合する側の端部に、前記第１のインサート部材の前記凸部と嵌合する複数の凹部を設けたことを特徴とするコネクタ。
【請求項２】
前記第２のインサート部材は、第２の固定部材と嵌合する位置に鍔部を有してなり、該鍔部に凸部を設け、第２の固定部材の、第２のインサート部材と嵌合する端部内側部に前記凸部に嵌合する複数の凹部を設けたことを特徴とする請求項１に記載のコネクタ。
【請求項３】
第１のコネクタと、第１のコネクタと係合する第２のコネクタと、第１のコネクタに収容され、複数のピンを保持する第１のインサート部材と、第２のコネクタに収容され、前記第１のインサート部材のピンを嵌合する嵌合穴を有する第２のインサート部材と、第２のコネクタに収容された第２のインサート部材を外嵌する第２の固定部材とを有してなるコネクタであって、第２のインサート部材は、第２の固定部材と嵌合する位置に鍔部を有してなり、該鍔部に凸部を設け、第２の固定部材の、第２のインサート部材と嵌合する端部内側部に前記凸部に嵌合する複数の凹部を設けたことを特徴とするコネクタ。
【発明の詳細な説明】
【技術分野】
【０００１】
本発明は、ケーブル等を接続する一対のコネクタにおいて、両コネクタ間の合わせ目の結合を緊密に結合し、ケーブル等を接続する雄型と雌型のコンタクトを、密閉するねじ式コネクタに関する。
【背景技術】
【０００２】
従来より、コネクタには、ねじを介して電気ケーブルを同一軸上に電気接続するねじ式コネクタがある。ねじ式コネクタでは、ソケットあるいはプラグを何回も回して相互に接続する必要があるので、接続作業に手間がかかり、作業性が低い。
最近では、接続作業性が高く、メンテナンスを容易としたものとして、特許文献１があげられる。
【０００３】
特許文献１は、電気絶縁性のコネクタ本体１と、コネクタ本体１に固定されてシールド電線８の芯線８ａが接続された端子４と、シールド電線８のシールド線８ｃが接続されかつシールド電線８および端子４を取り囲んでコネクタ本体１に装着されたシールド筒体９と、シールド筒体９に接触してコネクタ本体１に外嵌された固定具６とを具備し、導電性のシールド筒体９の外周面に突設された円環状鍔部９ａに当接させて第１の固定具５にねじ込む構成であるため、そのねじ込みと同時にシールド性および防水性を確保するというものである。
【特許文献１】特開平１０−２７０１２２号公報
【発明の開示】
【発明が解決しようとする課題】
【０００４】
しかし、上述した特許文献１の、第１の固定具５と第２の固定具６のねじ接続構造においては、ねじの緩みを止める構造がないため、コネクタの振動によるねじの緩みが発生するおそれがあり、防水性の低下および電気的接続の不良の原因となっていた。
【０００５】
本発明の課題は、ねじ式コネクタにおいて、振動によるねじの緩みを防止するとともに、シールド性および防水性の低下を防止することにある。
【課題を解決するための手段】
【０００６】
上記課題を解決するために、本発明は、第１のコネクタと、第１のコネクタと係合する第２のコネクタと、第１のコネクタに収容され、複数のピンを保持する第１のインサート部材と、第２のコネクタに収容され、前記第１のインサート部材のピンを嵌合する嵌合穴を有する第２のインサート部材と、第１のコネクタに収容された第１のインサート部材を外嵌する第１の固定部材と、第２のコネクタに収容された第２のインサート部材を外嵌する第２の固定部材とを有してなるコネクタであって、前記第１のインサート部材の、第２のコネクタに収容される側の端部に、鍔部を設け且つ該鍔部に凸部を設け、第１の固定部材の、第２の固定部材と嵌合する側の端部に、前記第１のインサート部材の前記凸部と嵌合する複数の凹部を設けたことを特徴とする。
【０００７】
また、前記第２のインサート部材は、第２の固定部材と嵌合する位置に鍔部を有してなり、該鍔部に凸部を設け、第２の固定部材の、第２のインサート部材と嵌合する端部内側部に前記凸部に嵌合する複数の凹部を設けたことを特徴とする。
【０００８】
さらには、第１のコネクタと、第１のコネクタと係合する第２のコネクタと、第１のコネクタに収容され、複数のピンを保持する第１のインサート部材と、第２のコネクタに収容され、前記第１のインサート部材のピンを嵌合する嵌合穴を有する第２のインサート部材と、第２のコネクタに収容された第２のインサート部材を外嵌する第２の固定部材とを有してなるコネクタであって、第２のインサート部材は、第２の固定部材と嵌合する位置に鍔部を有してなり、該鍔部に凸部を設け、第２の固定部材の、第２のインサート部材と嵌合する端部内側部に前記凸部に嵌合する複数の凹部を設けたことを特徴とする。
【発明の効果】
【０００９】
上記構成により、本発明によれば、ねじ式コネクタにおいて、振動によるねじの緩みを防止し、シールド性および防水性の低下を防止することができる。
【発明を実施するための最良の形態】
【００１０】
本発明の実施するための最良の形態を図面に基づいて説明する。
図１に、本発明のコネクタの結合時の一部断面図を示す。
図２、図３に、第１のコネクタ、第２のコネクタの分解一部断面図を示す。
図４に、第１のコネクタと第１のインサート部材の嵌合状態を示す拡大図を示す。
図５に、第２のコネクタと第２のインサート部材の嵌合状態を示す拡大図を示す。
図６に、本発明のコネクタの別の実施例を示す。
【００１１】
図１に示すように、本発明のコネクタ１は、第１のコネクタ２、第２のコネクタ３より構成されている。
第１のコネクタ２は、一端部を、第１のインサート部材４を挿入するための開口とし、他端部を、ピン６を先端に有する複数のケーブル７を内部に束ねた被覆ケーブル１４に接続された形状としている。
第２のコネクタ３は、一端部を、第２のインサート部材５を挿入するための開口とし、他端部を、被覆ケーブル１４を保持した形状としている。
また、第１のコネクタ２、第２のコネクタ３とも、樹脂によって形成されており、特に、被覆ケーブル１４とコネクタの接続口９付近は、一体成型によって、図１のように保護されている。
【００１２】
第１のコネクタ２に収容される第１のインサート部材４は、内部に、複数のケーブルの先端のピン６を挿通させてなり、第１のインサート部材４の、第２のコネクタ３に収容される側の端部に円環状の鍔部１０を有し、且つ該鍔部１０には、図４に示すように、第１の固定部材１５の端面側に向かって突出した、例えば略三角形状の凸部１１を設けている。この鍔部１０は、第１のコネクタ２と第２のコネクタ３とを結合したときには、その凸部１１が第１の固定部材１５の端面に押しつけられる状態となる。
第２のコネクタ３に収容される第２のインサート部材５は、前記第１のインサート部材４の複数のピン６を嵌合する嵌合穴（ソケット）８を有する。
また、第１のインサート部材４、第２のインサート部材５とも、樹脂によってインサート成型されている。
【００１３】
第１の固定部材１５は、第１のインサート部材４に外嵌するように内部に空間１５ａを有してなり、外部には、第２の固定部材１６と螺合するようにねじ山１７がきられている。また、第１の固定部材１５は、図４のように、前記第１のインサート部材の、第２のコネクタに収容される側の端部に、第１のインサート部材４の鍔部１０の凸部１１が嵌り落ちるように（嵌合するように）複数の凹部１２を有している。
【００１４】
凹部１２は、図４のように、凹部の角度を左右均等にせずに、例えばねじの締め方向に従って、一片の角度を８０度等の浅い角度、緩み方向である他片を６０度等の急な角度とすることによって、締めるときは角度が浅いため軽い力で締めることができ、緩もうとするときには角度が急なため緩みにくくなる。
また、第１のインサート部材４の凸部１１の高さを凹部１２の深さよりも大きくすることによって、凸部１１先端が摩耗した場合にも大きくした分が摩耗するまで緩み止めの効果がなくならず、寿命が延びる。
【００１５】
第２の固定部材１６は、第２のインサート部材５に外嵌するように内部に空間１６ａを有してなり、さらに、該内部には、第１の固定部材１５のねじ山１７に螺合するように内ねじ溝１８が形成されている。
【００１６】
第１のインサート部材４の鍔部１０に設けた凸部１１、第１の固定部材１５の凹部１２の数は、凹凸が同時に嵌合するように配置すればよく、第１の固定部材１５を第２の固定部材１６に締め付けるときに凸部１１、凹部１２間に生じる負荷を減らすためになるべく数は増やした方がよい。
【００１７】
凸部１１と凹部１２を、第１のインサート部材４の鍔部１０と、第１の固定部材１５に設けるのみでなく、図５のように第２の固定部材１６と第２のインサート部材５の嵌合して接触する部分に、凸部１１と凹部１２を設けることにより、より一層振動によるねじの緩みを防止し、シールド性および防水性の低下を防止することができる。
【００１８】
本発明における緩み止め機構は、コネクタの形態・材質に関わらず使用することができる。例えば、図６に示すような別の形態のコネクタにおいても、本発明の緩み止め機構を用いることができる。
固定部材１９とインサート部材２０の嵌合して接触する部分に、凸部１１と凹部１２を設けることにより、図１乃至図５における実施例と同様に、振動によるねじの緩みを防止するとともに、シールド性および防水性の低下を防止することができる。
【００１９】
第１のコネクタ２と第２のコネクタ３とを結合するにあたっては、まず、第１のインサート部材４のピン６を第２のインサート部材５の所定の嵌合穴８に差し込み、次いで第１の固定部材１５のねじ山１７に対して第２の固定部材１６の内ネジ溝１８を第２の固定部材１６および／または第１の固定部材１５を数回回すことにより螺合し締め付け、この際、前述したように第１のインサート部材４の鍔部１０の凸部１１が第１の固定部材１５の凹部１２に嵌合する。
【００２０】
なお、図１に示すように、第１のインサート部材４の鍔部１０と第２のインサート部材５の鍔部５ａとの間には、Ｏリング１３が設けられていて、締め付け時に防水のためのＯリング１３をコネクタ先端で圧縮するが、Ｏリング１３の弾性力により、凹部１２の深さの分だけＯリング１３の圧縮が戻ってしまうため、凹部１２の深さは圧縮が戻っても防水性が保てる寸法にする。
【００２１】
以上の構成により、ねじ式コネクタにおいて、第１のコネクタ２と第２のコネクタ３の
接続部分に、凹凸部を設けることにより、振動によるねじの緩みを防止し、シールド性および防水性の低下を防止することができる。
【図面の簡単な説明】
【００２２】
【図１】本発明のコネクタの結合時の一部断面図。
【図２】本発明の第１のコネクタの分解一部断面図。
【図３】本発明の第２のコネクタの分解一部断面図。
【図４】本発明の第１のコネクタと第１のインサート部材の嵌合状態を示す拡大図。
【図５】本発明の第２のコネクタと第２のインサート部材の嵌合状態を示す拡大図。
【図６】本発明のコネクタの別の実施例を示す。（ａ）は、コネクタの結合時の一部断面図、（ｂ）はコネクタの結合時の一部破断図を示す。
【符号の説明】
【００２３】
１    コネクタ
２    第１のコネクタ
３    第２のコネクタ
４    第１のインサート部材
５    第２のインサート部材
５ａ  鍔部
６    ピン
７    ケーブル
８    嵌合穴
９    接続口
１０  鍔部
１１  凸部
１２  凹部
１３  Oリング
１４  被覆ケーブル
１５  第１の固定部材
１５ａ空間
１６  第２の固定部材
１６ａ空間
１７  ねじ山
１８  ねじ溝
１９  固定部材
２０  インサート部材
.
【図１】
2008146884.tif 000003
【図２】
2008146884.tif 000004
【図４】
2008146884.tif 000005
【図５】
2008146884.tif 000006
【図３】
2008146884.tif 000007
【図６】
2008146884.tif 000008